(57)【要約】【課題】個人が所有する書籍の一覧表作成と管理を容易に行い、嗜好にあった新刊などの情報を得ることを可能とする。【解決手段】本棚サーバ１０はユーザ端末３０からユーザＩＤとＩＳＢＮコードを受信しＩＳＢＮコードを書店端末２０へ転送する。書店端末２０はＩＳＢＮコードに対応する日本図書コードを特定し、ＩＳＢＮコードと特定された日本図書コードとに対応する書籍情報を本棚サーバ１０に送る。本棚サーバ１０は書籍情報をユーザＩＤをキーにまとめた蔵書情報を作成する。ユーザ端末３０は蔵書情報を本棚サーバ１０から受信して参照、修正する。書店２で書籍を購入する場合は書店端末２０でユーザＩＤとＩＳＢＮコードを読み取って本棚サーバ１０へ送る。本棚サーバ１０は書店端末２０からの書籍案内情報と蔵書情報と書籍内容データベース１５２とからお薦め情報を作成しユーザ端末３０へ配信する。【選択図】　　　図１
2004145646.tif 000002
【特許請求の範囲】
【請求項１】
ユーザ端末からユーザＩＤと書籍ＩＤとを送信する手段と、送信された前記書籍ＩＤに対応する書籍情報をデータベースから検索する手段と、検索された前記書籍情報を前記ユーザＩＤをキーにまとめた蔵書情報を作成する手段と、作成した前記蔵書情報を前記ユーザ端末へ送信する手段とを含むことを特徴とする電子本棚管理システム。
【請求項２】
前記書籍ＩＤがＩＳＢＮコードであることを特徴とする請求項１記載の電子本棚管理システム。
【請求項３】
ネットワークと、前記ネットワークに相互に接続されたユーザ端末、本棚サーバおよび書店端末とを備え、前記ユーザ端末は、ユーザＩＤとＩＳＢＮコードとを前記本棚サーバに送信する手段を含み、前記書店端末は、前記ＩＳＢＮコードに対応する日本図書コードを特定する手段と、前記ＩＳＢＮコードと特定された前記日本図書コードとに対応する書籍情報を検索する手段と、検索した前記書籍情報を前記本棚サーバに送信する手段とを含み、前記本棚サーバは、前記ユーザ端末から送信された前記ＩＳＢＮコードを前記書店端末へ転送する手段と、前記書店端末から送信された書籍情報を前記ユーザＩＤをキーにまとめた蔵書情報を作成する手段と、前記蔵書情報を前記ユーザ端末へ送信する手段とを含むことを特徴とする電子本棚管理システム。
【請求項４】
前記書店端末は、前記ユーザＩＤと前記ＩＳＢＮコードとを入力する手段と、入力したＩＳＢＮコードをもとに検索した書籍情報に前記ユーザＩＤを付加して前記本棚サーバへ送信する手段とを含むことを特徴とする請求項３記載の電子本棚管理システム。
【請求項５】
前記ユーザ端末は、前記蔵書情報をユーザの選択したキーでソートする手段を含むことを特徴とする請求項３または４記載の電子本棚管理システム。
【請求項６】
前記ユーザ端末は、前記蔵書情報に含まれる書籍を前記蔵書情報中の任意の場所へ移動させる手段を含むことを特徴とする請求項３、４または５記載の電子本棚管理システム。
【請求項７】
前記書店端末は、書籍案内情報を前記本棚サーバへ送信する手段を含み、前記本棚サーバは、前記ＩＳＢＮコードをキーにした書籍内容データベースを有し、前記蔵書情報と前記書籍内容データベースとをもとに前記書籍案内情報からユーザの嗜好に合わせた情報を選択して前記ユーザ端末へ配信する手段を含むことを特徴とする請求項３、４、５または６記載の電子本棚管理システム。
【請求項８】
前記ユーザ端末は、書籍の注文データを前記本棚サーバに送信する手段を含み、前記本棚サーバは、前記注文データを前記書店端末へ送信する手段と、前記注文データをもとに前記蔵書情報を更新する手段とを含むことを特徴とする請求項３、４、５、６または７記載の電子本棚管理システム。
【請求項９】
ユーザ端末からユーザＩＤと書籍ＩＤとを送信するステップと、送信された前記書籍ＩＤに対応する書籍情報をデータベースから検索するステップと、検索された前記書籍情報を前記ユーザＩＤをキーにまとめた蔵書情報を作成するステップと、作成した前記蔵書情報を前記ユーザ端末へ送信するステップとを含むことを特徴とする電子本棚管理方法。
【請求項１０】
前記書籍ＩＤがＩＳＢＮコードであることを特徴とする請求項９記載の電子本棚管理方法。
【請求項１１】
ユーザＩＤとＩＳＢＮコードとをユーザ端末から本棚サーバに送信するステップと、前記ユーザ端末から送信された前記ＩＳＢＮコードを前記本棚サーバから書店端末へ転送するステップと、前記ＩＳＢＮコードに対応する日本図書コードを前記書店端末が特定するステップと、前記ＩＳＢＮコードと特定された前記日本図書コードとに対応する書籍情報を前記書店端末が検索するステップと、検索した前記書籍情報を前記書店端末から前記本棚サーバに送信するステップと、送信された書籍情報を前記ユーザＩＤをキーにまとめた蔵書情報を前記本棚サーバで作成するステップと、前記蔵書情報を前記本棚サーバから前記ユーザ端末へ送信するステップとを含むことを特徴とする電子本棚管理方法。
【請求項１２】
前記ユーザＩＤと前記ＩＳＢＮコードとを前記書店端末で入力するステップと、入力したＩＳＢＮコードをもとに検索した書籍情報に前記ユーザＩＤを付加して前記書店端末から前記本棚サーバへ送信するステップとを含むことを特徴とする請求項１１記載の電子本棚管理方法。
【請求項１３】
前記蔵書情報をユーザの選択したキーでソートするステップを含むことを特徴とする請求項１１または１２記載の電子本棚管理方法。
【請求項１４】
前記ユーザ端末で前記蔵書情報に含まれる書籍を前記蔵書情報中の任意の場所へ移動させるステップを含むことを特徴とする請求項１１、１２または１３記載の電子本棚管理方法。
【請求項１５】
書籍案内情報を前記書店端末から前記本棚サーバへ送信するステップと、前記本棚サーバが前記蔵書情報と書籍内容データベースとをもとに前記書籍案内情報からユーザの嗜好に合わせた情報を選択して前記ユーザ端末へ配信するステップを含むことを特徴とする請求項１１、１２、１３、または１４記載の電子本棚管理方法。
【請求項１６】
書籍の注文データを前記ユーザ端末から前記本棚サーバに送信するステップと、前記注文データをもとに前記蔵書情報を更新するステップと、前記注文データを前記本棚サーバから前記書店端末へ送信するステップとを含むことを特徴とする請求項１１、１２、１３、１４または１５記載の電子本棚管理方法。
【請求項１７】
ネットワークを介してユーザ端末と書店端末とに接続された本棚サーバであって、ユーザＩＤとＩＳＢＮコードとを前記ユーザ端末から受信する手段と、受信した前記ＩＳＢＮコードを前記書店端末へ転送する手段と、前記ＩＳＢＮコードと前記ＩＳＢＮコードで特定された日本図書コードとに対応する書籍情報を前記書店端末から受信する手段と、受信した前記書籍情報を前記ユーザＩＤをキーにまとめた蔵書情報を作成する手段と、前記蔵書情報を前記ユーザ端末へ送信する手段とを含むことを特徴とする本棚サーバ。
【請求項１８】
前記ＩＳＢＮコードをキーにした書籍内容データベースを有し、書籍案内情報を前記書店端末から受信する手段と、前記蔵書情報と前記書籍内容データベースとをもとに前記書籍案内情報からユーザの嗜好に合わせた情報を選択して前記ユーザ端末へ配信する手段とを含むことを特徴とする請求項１７記載の本棚サーバ。
【請求項１９】
書籍の注文データを前記ユーザ端末から受信する手段と、前記注文データを前記書店端末へ送信する手段と、前記注文データをもとに前記蔵書情報を更新する手段とを含むことを特徴とする請求項１７または１８記載の本棚サーバ。
【請求項２０】
請求項１７から１９のいずれか１項記載の機能をコンピュータに実現させるためのプログラム。
【発明の詳細な説明】
【０００１】
【発明の属する技術分野】
本発明は電子本棚管理システム、電子本棚管理方法および電子本棚管理用プログラムに関し、特に、ユーザが所有する書籍の管理をネットワークを介して行う電子本棚管理システム、電子本棚管理方法および電子本棚管理用プログラムに関する。
【０００２】
【従来の技術】
書店で読みたい本を見つけたとき、自分が何巻まで持っているかはっきり分からず、購入を見送ることがある。また、新刊をチェックし損ねて買いそびれることがある。人に貸した本を自宅で探し回ったり、いつ誰に貸したものか分からなくなってしまうことがある。何かよい本がないものかと思っても、情報収集なしにはすぐに自分に合うものを見つけられない。このような問題がまったく起こらないように蔵書を管理するには非常な労力が必要である。
【０００３】
従来の蔵書管理システムは、顧客が書店で書籍を購入すると、書店側からその書籍の著者や価格などを含む書籍情報を標準的なフォーマットのデジタルデータとして顧客のパーソナルコンピュータへ送信している（例えば、特許文献１参照。）。
【０００４】
【特許文献１】
特開２００２−６３４７１号公報（第４−６頁、図１）
【０００５】
【発明が解決しようとする課題】
上述した従来の蔵書管理システムは、書店から送られたきたデータをユーザ（顧客）が整理して一覧表を作成することになり、ユーザの作業が繁雑になるという問題点がある。
【０００６】
また、既に購入済みの書籍を一覧表に追加するためには、ユーザが個々のデータを手入力する必要があるという問題点がある。
【０００７】
本発明の目的は、個人が所有する書籍の一覧表作成と管理を容易に行うことができ、さらに、嗜好にあった新刊などの情報を得ることを可能とする電子本棚管理システム、電子本棚管理方法および電子本棚管理用プログラムを提供することにある。
【０００８】
【課題を解決するための手段】
本発明の電子本棚管理システムは、ユーザ端末からユーザＩＤと書籍ＩＤとを送信する手段と、送信された前記書籍ＩＤに対応する書籍情報をデータベースから検索する手段と、検索された前記書籍情報を前記ユーザＩＤをキーにまとめた蔵書情報を作成する手段と、作成した前記蔵書情報を前記ユーザ端末へ送信する手段とを含むことを特徴とする。
【０００９】
本発明の電子本棚管理システムは、前記書籍ＩＤがＩＳＢＮコードであることを特徴としてもよい。
【００１０】
本発明の電子本棚管理システムは、ネットワークと、前記ネットワークに相互に接続されたユーザ端末、本棚サーバおよび書店端末とを備え、前記ユーザ端末は、ユーザＩＤとＩＳＢＮコードとを前記本棚サーバに送信する手段を含み、前記書店端末は、前記ＩＳＢＮコードに対応する日本図書コードを特定する手段と、前記ＩＳＢＮコードと特定された前記日本図書コードとに対応する書籍情報を検索する手段と、検索した前記書籍情報を前記本棚サーバに送信する手段とを含み、前記本棚サーバは、前記ユーザ端末から送信された前記ＩＳＢＮコードを前記書店端末へ転送する手段と、前記書店端末から送信された書籍情報を前記ユーザＩＤをキーにまとめた蔵書情報を作成する手段と、前記蔵書情報を前記ユーザ端末へ送信する手段とを含むことを特徴としてもよい。
【００１１】
本発明の電子本棚管理システムは、前記書店端末は、前記ユーザＩＤと前記ＩＳＢＮコードとを入力する手段と、入力したＩＳＢＮコードをもとに検索した書籍情報に前記ユーザＩＤを付加して前記本棚サーバへ送信する手段とを含むことを特徴としてもよい。
【００１２】
本発明の電子本棚管理システムは、前記ユーザ端末は、前記蔵書情報をユーザの選択したキーでソートする手段を含むことを特徴としてもよい。
【００１３】
本発明の電子本棚管理システムは、前記ユーザ端末は、前記蔵書情報に含まれる書籍を前記蔵書情報中の任意の場所へ移動させる手段を含むことを特徴としてもよい。
【００１４】
本発明の電子本棚管理システムは、前記書店端末は、書籍案内情報を前記本棚サーバへ送信する手段を含み、前記本棚サーバは、前記ＩＳＢＮコードをキーにした書籍内容データベースを有し、前記蔵書情報と前記書籍内容データベースとをもとに前記書籍案内情報からユーザの嗜好に合わせた情報を選択して前記ユーザ端末へ配信する手段を含むことを特徴としてもよい。
【００１５】
本発明の電子本棚管理システムは、前記ユーザ端末は、書籍の注文データを前記本棚サーバに送信する手段を含み、前記本棚サーバは、前記注文データを前記書店端末へ送信する手段と、前記注文データをもとに前記蔵書情報を更新する手段とを含むことを特徴としてもよい。
【００１６】
本発明の電子本棚管理方法は、ユーザ端末からユーザＩＤと書籍ＩＤとを送信するステップと、送信された前記書籍ＩＤに対応する書籍情報をデータベースから検索するステップと、検索された前記書籍情報を前記ユーザＩＤをキーにまとめた蔵書情報を作成するステップと、作成した前記蔵書情報を前記ユーザ端末へ送信するステップとを含むことを特徴とする。
【００１７】
本発明の電子本棚管理方法は、前記書籍ＩＤがＩＳＢＮコードであることを特徴としてもよい。
【００１８】
本発明の電子本棚管理方法は、ユーザＩＤとＩＳＢＮコードとをユーザ端末から本棚サーバに送信するステップと、前記ユーザ端末から送信された前記ＩＳＢＮコードを前記本棚サーバから書店端末へ転送するステップと、前記ＩＳＢＮコードに対応する日本図書コードを前記書店端末が特定するステップと、前記ＩＳＢＮコードと特定された前記日本図書コードとに対応する書籍情報を前記書店端末が検索するステップと、検索した前記書籍情報を前記書店端末から前記本棚サーバに送信するステップと、送信された書籍情報を前記ユーザＩＤをキーにまとめた蔵書情報を前記本棚サーバで作成するステップと、前記蔵書情報を前記本棚サーバから前記ユーザ端末へ送信するステップとを含むことを特徴としてもよい。
【００１９】
本発明の電子本棚管理方法は、前記ユーザＩＤと前記ＩＳＢＮコードとを前記書店端末で入力するステップと、入力したＩＳＢＮコードをもとに検索した書籍情報に前記ユーザＩＤを付加して前記書店端末から前記本棚サーバへ送信するステップとを含むことを特徴としてもよい。
【００２０】
本発明の電子本棚管理方法は、前記蔵書情報をユーザの選択したキーでソートするステップを含むことを特徴としてもよい。
【００２１】
本発明の電子本棚管理方法は、前記ユーザ端末で前記蔵書情報に含まれる書籍を前記蔵書情報中の任意の場所へ移動させるステップを含むことを特徴としてもよい。
【００２２】
本発明の電子本棚管理方法は、書籍案内情報を前記書店端末から前記本棚サーバへ送信するステップと、前記本棚サーバが前記蔵書情報と書籍内容データベースとをもとに前記書籍案内情報からユーザの嗜好に合わせた情報を選択して前記ユーザ端末へ配信するステップを含むことを特徴としてもよい。
【００２３】
本発明の電子本棚管理方法は、書籍の注文データを前記ユーザ端末から前記本棚サーバに送信するステップと、前記注文データをもとに前記蔵書情報を更新するステップと、前記注文データを前記本棚サーバから前記書店端末へ送信するステップとを含むことを特徴としてもよい。
【００２４】
本発明の本棚サーバは、ネットワークを介してユーザ端末と書店端末とに接続された本棚サーバであって、ユーザＩＤとＩＳＢＮコードとを前記ユーザ端末から受信する手段と、受信した前記ＩＳＢＮコードを前記書店端末へ転送する手段と、前記ＩＳＢＮコードと前記ＩＳＢＮコードで特定された日本図書コードとに対応する書籍情報を前記書店端末から受信する手段と、受信した前記書籍情報を前記ユーザＩＤをキーにまとめた蔵書情報を作成する手段と、前記蔵書情報を前記ユーザ端末へ送信する手段とを含むことを特徴とする。
【００２５】
本発明の本棚サーバは、前記ＩＳＢＮコードをキーにした書籍内容データベースを有し、書籍案内情報を前記書店端末から受信する手段と、前記蔵書情報と前記書籍内容データベースとをもとに前記書籍案内情報からユーザの嗜好に合わせた情報を選択して前記ユーザ端末へ配信する手段とを含むことを特徴としてもよい。
【００２６】
本発明の本棚サーバは、書籍の注文データを前記ユーザ端末から受信する手段と、前記注文データを前記書店端末へ送信する手段と、前記注文データをもとに前記蔵書情報を更新する手段とを含むことを特徴としてもよい。
【００２７】
本発明のプログラムは、請求項１７から１９のいずれか１項記載の機能をコンピュータに実現させる。
【００２８】
【発明の実施の形態】
本発明の実施の形態について図面を参照して詳細に説明する。図１は本発明の実施の形態の構成を示すブロック図である。
【００２９】
本棚サーバ１０と書店端末２０とユーザ端末３０とがネットワークを介して接続されている。本実施の形態では、ネットワークとしてインターネット１００を使用する例を説明する。
【００３０】
本棚サーバ１０は、電子本棚運営者１が使用するワークステーション・サーバ等の情報処理装置である。本棚サーバ１０は、その内部または外部に記憶装置１５を有し、記憶装置１５は蔵書情報データベース１５１と書籍内容データベース１５２を格納する。蔵書情報データベース１５１は、会員登録されたユーザ３が所有する書籍の情報を格納する。書籍内容データベース１５２は、ＩＳＢＮ（Ｉｎｔｅｒｎａｔｉｏｎａｌ　Ｓｔａｎｄａｒｄ　Ｂｏｏｋ　Ｎｕｍｂｅｒ、国際標準図書番号）コードをキーに、シリーズ名、著者名や内容を含むデータベースである。本棚サーバ１０は、図示しないが、必要に応じて入力部や表示部を有する。また、本棚サーバ１０は、ユーザ３の所有する書籍情報を管理し、書籍情報をもとにユーザ３の嗜好に応じた新刊案内やお勧め情報を配信する。また、ユーザ３の書籍注文情報を書店端末２０に送る。本棚サーバ１０が管理する書籍情報を電子本棚と称し、本棚サーバ１０を用いて運営するシステムを電子本棚管理システムと称する。
【００３１】
書店端末２０は、書籍販売を行う書店２が使用するパーソナルコンピュータ等の情報処理装置である。データを入力するためのキーボードやマウス等の入力部２１および画像表示するためのＣＲＴ（ｃａｔｈｏｄｅ−ｒａｙ　ｔｕｂｅ）ディスプレイやＬＣＤ（ｌｉｑｕｉｄ　ｃｒｙｓｔａｌ　ｄｉｓｐｌａｙ）等の表示部２２を内部または外部に有する。また、バーコードあるいはＯＣＲ（Ｏｐｔｉｃａｌ　Ｃｈａｒａｃｔｅｒ　Ｒｅｃｏｇｎｉｔｉｏｎ）文字を読み取るためのスキャナ２３を有する。さらに、記憶装置２５を内部または外部に有する。記憶装置２５は、ＩＳＢＮデータベース２５１とＩＳＢＮ・日本図書コード対応データベース２５２と日本図書コードデータベース２５３とを格納する。ＩＳＢＮデータベース２５１は、ＩＳＢＮコードをキーに、国、出版者、書名を含む。ＩＳＢＮ・日本図書コード対応データベース２５２は、ＩＳＢＮコードと日本図書コードを対応付けている。日本図書コードデータベース２５３は、日本図書コードをキーに、分類コードと定価とを含む。書店端末２０は本棚サーバ１０を経由してユーザ端末３０からの注文を受け書籍を販売する。また、新刊情報や評価情報等を本棚サーバ１０に送る。上記３種のデータベースは、書店端末２０が有するのではなく、外部の機関が有するデータベースをネットワークを経由して参照するようにしてもよい。
【００３２】
ユーザ端末３０は、電子本棚管理システムに会員登録したユーザ３が使用するパーソナルコンピュータや携帯電話等の端末である。ユーザ端末３０も、書店端末２０と同様に、入力部３１と表示部３２とを有し、図示しないがデータを一時保存するための記憶部を有する。ユーザ端末３０は、ユーザ３が所有する書籍の情報を入力・検索・参照する。また、新刊案内やお勧め情報を受信し、書籍の注文を行う。
【００３３】
次に、本発明の実施の形態の動作について図面を参照して説明する。図２は本発明の実施の形態の動作を示すフローチャートである。
【００３４】
書店２は書店端末２０を使用して本棚サーバ１０にアクセスし、電子本棚運営者１が運営する電子本棚管理システムの利用契約を行う（ステップＳ１）。このとき、費用処理の方法を取り決めておく。
【００３５】
ユーザ３は、ユーザ端末３０を使用して本棚サーバ１０にアクセスし、電子本棚管理システムの会員登録を行う（ステップＳ２）。このとき、本棚サーバ１０は会員に対してユーザＩＤ（ｉｄｅｎｔｉｆｉｃａｔｉｏｎ　ｎｕｍｂｅｒ）を発行する。会員端末３０は、本棚サーバ１０へ、ユーザ３の住所、氏名、電子メールアドレス等のユーザ情報を登録し、また、セキュリティ確保のためパスワードを登録する。費用処理方法も定めておく。
【００３６】
ユーザ３は、会員登録が完了すると、ユーザ端末３０から蔵書のＩＳＢＮコードを入力部３１で入力し、本棚サーバ１０に送る。ユーザ３を特定するためにユーザＩＤ（ｉｄｅｎｔｉｆｉｃａｔｉｏｎ　ｎｕｍｂｅｒ）も送信する（ステップＳ３）。図３はユーザ端末３０の表示部３２に表示される、ＩＳＢＮコード入力画面例を示す図である。
【００３７】
本棚サーバ１０は、ユーザ端末３０からユーザＩＤとＩＳＢＮコードとを受信すると、ＩＳＢＮコードを書店端末２０へ送る（ステップＳ４）。
【００３８】
書店端末２０は、本棚サーバ１０からＩＳＢＮコードを受信すると、ＩＳＢＮ・日本図書コード対応データベース２５２を参照してＩＳＢＮコードに対応する日本図書コードを特定する（ステップＳ５）。さらに、ＩＳＢＮデータベース２５１を参照してＩＳＢＮコードコードに対応する国、出版者、書名を抽出し、日本図書コードデータベース２５３を参照して日本図書コードに対応する分類コードと定価を抽出する。書店端末２０は、抽出した国、出版者、書名、分類コード、定価（これらを書籍情報と呼ぶ）を本棚サーバ１０へ送信する（ステップＳ６）。
【００３９】
本棚サーバ１０は、書店端末２０から書籍情報を受信すると、ユーザＩＤをキーに、蔵書情報データベース１５１を参照して該当するユーザ３の蔵書に関する書籍情報を新しく入手した書籍情報を含めて分類、ソートする（ステップＳ７）。なお、ユーザ３が指定した条件があれば、これに基づいて分類、ソートを行う。
【００４０】
ユーザ３は、自分の蔵書情報を参照あるいは修正するときは、ユーザ端末３０を使用して本棚サーバ１０にアクセスする。ユーザ端末３０からユーザＩＤを送信して蔵書情報参照要求を行うと（ステップＳ８）、本棚サーバ１０は蔵書情報データベース１５１を参照してユーザＩＤに対応する蔵書情報をユーザ端末３０へ送信する（ステップＳ９）。
【００４１】
ユーザ３はユーザ端末３０の表示部３２に表示された自分の蔵書情報を参照し、貸し出し・処分などの状態や書籍そのものの保存場所なども入力部３１から入力することができる（ステップＳ１０）。この表示は本棚サーバ１０による分類・ソートに基づくものである。整列の条件をユーザ３の好みに合わせて変更することもできる。また、本棚の本を並べ替えるように、選択した書籍を任意の場所に移動することもできる。図４は蔵書情報参照時にユーザ端末３０に表示される画面例を示す図である。
【００４２】
ユーザ３と書店２は、予め定めた方法で費用支払いを行う（ステップＳ１１ａ、Ｓ１１ｂ、Ｓ１１ｃ）。支払金額は月極め定額あるいはアクセス件数比例とする方法がある。支払い方法はクレジットカード使用あるいは金融機関振り込み等の方法がある。
【００４３】
ユーザ３が書店２で書籍を購入するときは、ユーザＩＤが記載された会員カードを提示すると、書店端末２０はスキャナ２３で購入書籍からＩＳＢＮコードを会員カードからユーザＩＤをそれぞれ読み取る。読み取ったＩＳＢＮコードによりデータベースから書籍情報を抽出し、抽出した書籍情報にユーザＩＤを付加して電子本棚サーバ１０へ送信する。従って、新しく購入する書籍に関しては、ユーザ３が自分で入力することなく、書籍情報が蔵書情報に追加される。
【００４４】
図５は新刊案内やお勧め情報などの情報を配信するときの流れ図である。書店２は新刊や人気の書籍、または高い評価を得ている書籍の情報を書店端末２０から本棚サーバ１０に送る（ステップＡ１）。本棚サーバ１０は、蔵書情報データベース１５１と書籍内容データベース１５２を参照して各ユーザ３の蔵書情報を統計処理し、結果を分析する（ステップＡ２）。分析結果をもとに、ユーザ３の嗜好にあわせた新刊、評価情報を選択してお薦め情報としてユーザ端末３０へ配信する（ステップＡ３）。
【００４５】
新刊情報やお勧め情報はユーザの蔵書情報に基づくので、個人の嗜好に沿った精度の高い宣伝の役割を果たし、書店２の売り上げ増加が期待できる。対象を絞って宣伝を行えるため、広告費の削減にもつながる。そして、その販売実績から宣伝の効果を正確に把握することができる。また、蔵書情報はマーケティングに活用でき、売り場の配置や仕入れなどに反映させることができる。たとえば小説と写真集の棚は離れていることが多いが、共通のファンが多く存在する書籍を隣り合わせに置けば、相乗効果で売り上げ増加が見込める。特定のテーマを定めて一時的にコーナーを作るキャンペーンも、データに基づいて企画することができる。このようにしてデータを用いることで、店員の個性や一時の流行のみに頼らない、個性的な売り場作りが実現できる。
【００４６】
また、出版社にデータを提供して、ニーズに対応した商品開発に活用することができる。ジャンルを超えたコラボレーション企画など、従来の枠組みを超えた企画も、データに基づいて効果的におこなえる。そして、その情報を配信することで、さらに売り上げを伸ばすことができる。データを販売予測に活用すれば、きめ細かい生産により各種コスト削減が可能である。
【００４７】
図６はユーザ３が書籍を注文するときの流れ図である。ユーザ３はユーザ端末３０から本棚サーバ１０に注文を送る（ステップＢ１）。図７はユーザ端末３０の表示部３２に表示される注文画面例を示す図である。本棚サーバ１０は、注文情報をもとにそのユーザ３の蔵書情報を更新する（ステップＢ２）。さらに、本棚サーバ１０は書店端末２０に注文情報を転送し（ステップＢ３）、書店端末２０は注文された書籍をユーザ３に配送するよう手配する（ステップＢ４）。自宅配送ではなく、書店取り置きや、鉄道の駅やコンビニエンスストアで渡す方法もある。ユーザ３はユーザ端末３０を使用したクレジットカード決済あるいはその他の方法で支払いを行う。電子本棚管理システムの費用支払いに含めて電子本棚運営者１を経由して支払うようにしてもよい。
【００４８】
本実施の形態で説明した本棚サーバ１０と書店端末２０の機能分担は上記実施の形態に限定されるものではない。たとえば、書店２が電子本棚運営事業者１を兼ねて、本棚サーバ１０と書店端末２０の機能を１台のサーバで有する等、種々の機能分担形態を取りうる。
【００４９】
また、書籍を特定するデータとしてＩＳＢＮコードを使用する例を説明したが、これに限定されるものではなく、他の書籍ＩＤを設定して利用するようにしてもよい。
【００５０】
本発明の電子本棚は、一般書籍の管理だけでなく、電子書籍の管理や、ＣＤ（Ｃｏｍｐａｃｔ　Ｄｉｓｃ）・ＤＶＤ（Ｄｉｇｉｔａｌ　Ｖｅｒｓａｔｉｌｅ　Ｄｉｓｃ）・ビデオテープ等のコンテンツ管理にも応用できる。電子書籍に関しては、書籍情報のほかに内容の閲覧が可能である。本棚感覚で利用することができる。ＣＤ・ＤＶＤ・ビデオ等に関しても、タイトル等情報の管理や、電子書籍と同様に内容の視聴を可能にしてもよい。このようにして、書籍に限らず、個人のライブラリ作成が可能である。
【００５１】
本発明の実施の形態のサーバまたは端末の動作はコンピュータ・プログラム処理により行わせることが可能である。すなわち、記録媒体に記録したプログラムをサーバまたは端末に読み込ませるか、あるいは、ネットワークからコンピュータ・プログラムをサーバまたは端末に読み込ませて、実施の形態で説明した動作を実行させる。
【００５２】
【発明の効果】
以上説明したように、本発明によれば、本棚サーバで蔵書情報の管理を行うため、ユーザの蔵書管理が容易となるという効果がある。ユーザは手入力が可能なので、保有する全書籍の管理が可能である。新規購入分についてはまったく入力の手間がかからず、手軽に蔵書管理ができる。本の並べ替えも、実物を入れ替えるのは大変な作業だが、本発明では整列条件の変更により容易に可能となり、目的に合わせたリスト作成ができる。携帯端末から蔵書を確認すれば、二重購入を防げる。
【００５３】
また、蔵書情報をもとに新刊情報やお勧め情報が配信されるので、情報収集のわずらわしさや漏れがなくなる。さらに、分類された蔵書一覧から自分で傾向などを読み取れば、自分に必要な書籍を判断しやすい。このとき、配信されたお勧め情報はアドバイザーの役割を果たす。流行や宣伝に拠らず、系統だった収集が容易になる。このことは、顧客満足の向上や購買意欲の増進へとつながる。
【００５４】
一方、書店側にとっては、前述したように、広告宣伝の手間の削減、売り上げ増加等の効果がある。
【図面の簡単な説明】
【図１】本発明の実施の形態の構成を示すブロック図である。
【図２】本発明の実施の形態の動作を示すフローチャートである。
【図３】ＩＳＢＮコード入力画面例を示す図である。
【図４】蔵書情報参照時の画面例を示す図である。
【図５】新刊案内やお勧め情報などの情報を配信するときの流れ図である。
【図６】ユーザが書籍を注文するときの流れ図である。
【図７】注文画面例を示す図である。
【符号の説明】
１　　電子本棚運営者
２　　書店
３　　ユーザ
１０　　本棚サーバ
１５　　記憶装置
２０　　書店端末
２１　　入力部
２２　　表示部
２３　　スキャナ
２５　　記憶装置
３０　　ユーザ端末
３１　　入力部
３２　　表示部
１５１　　蔵書情報データベース
１５２　　書籍内容データベース
２５１　　ＩＳＢＮデータベース
２５２　　ＩＳＢＮ・日本図書コード対応データベース
２５３　　日本図書コードデータベース
【図１】
2004145646.tif 000003
【図２】
2004145646.tif 000004
【図３】
2004145646.tif 000005
【図４】
2004145646.tif 000006
【図５】
2004145646.tif 000007
【図６】
2004145646.tif 000008
【図７】
2004145646.tif 000009